(57)【特許請求の範囲】
【請求項１】
凝縮水の導入口および排出口を有し、かつ中和剤を内部に収容する容器と、
この容器の底部の幅方向中間部から上向きに起立していることにより、この容器内を前記導入口に繋がった第１の領域および前記排出口に繋がった第２の領域に区分し、かつ前記導入口に導かれた凝縮水が前記第１および第２の領域を順次進行して前記排出口に到達するように前記凝縮水の流れを規定する仕切壁と、
前記容器に前記排出口とは別個に設けられ、かつ前記第１の領域に存在する凝縮水を外部に抜き取るための補助排出口と、
この補助排出口の少なくとも上方領域を覆い、かつ前記補助排出口の上部開口周辺部を中和剤進入防止用の空間部として形成するカバー壁部と、
を備えている、凝縮水中和器であって、
前記補助排出口は、前記容器の底部の幅方向中間部に設けられており、
前記カバー壁部は、前記仕切壁を利用して構成されており、
前記中和剤進入防止用の空間部の一端には、前記第１の領域からこの空間部に中和剤が進入してくることを抑制するためのスリットが形成され、
前記中和剤進入防止用の空間部の底面は、前記補助排出口の上部開口周縁から前記スリットに向けて進むほど、その高さが低くなるように傾斜しており、前記空間部に前記中和剤またはその粉末が進入したときに、この進入物質が前記スリットに向けて移動して前記第１の領域に戻されることを促進可能な構成とされていることを特徴とする、凝縮水中和器。
【請求項２】
前記仕切壁は、前記カバー壁部の上部に繋がってこのカバー壁部よりもさらに上向きに延びる上側領域を有し、
前記カバー壁部は、前記上側領域の下端よりも前記排出口寄りに張り出した形状とされて、前記補助排出口は、前記上側領域の下端よりも前記排出口寄りに設けられている、請求項１に記載の凝縮水中和器。
【請求項３】
前記容器内の第１の領域には、前記中和剤進入防止用の空間部よりも高い位置において略水平状に延びた部分を有する中和剤受け用の壁部が設けられ、この壁部上に存在する中和剤およびその粉末が前記第１の領域の底部に向けて落ちることを抑制可能な構成とされている、請求項１または２に記載の凝縮水中和器。
【請求項４】
前記中和剤受け用の壁部は、前記仕切壁、およびこの仕切壁とは別個に設けられて前記第１の領域に流入した凝縮水の流れを規定する他の仕切壁のうち、少なくとも一方に設けられている、請求項３に記載の凝縮水中和器。
【請求項５】
燃焼ガスまたはその他の潜熱を含むガスから潜熱回収が可能な熱交換器と、前記潜熱回収に伴って発生する凝縮水の中和処理を行なうための凝縮水中和器と、を備えている、温水装置であって、
前記凝縮水中和器として、請求項１ないし４のいずれかに記載の凝縮水中和器が用いられていることを特徴とする、温水装置。
【発明の詳細な説明】
【技術分野】
【０００１】
本発明は、燃焼ガスやその他の潜熱を含むガスから潜熱回収を行なった際に発生する酸性の凝縮水を中和処理するための凝縮水中和器、およびこれを備えた給湯装置などの温水装置に関する。
【背景技術】
【０００２】
周知のとおり、給湯装置の一例としては、燃焼器によって発生させた燃焼ガスから熱交換器を利用して顕熱および潜熱を回収するものがある。このようなタイプの給湯装置においては、燃焼ガスからの潜熱回収に伴って、燃焼ガス中の水蒸気が凝縮し、多くの凝縮水が発生する。一般的に、この凝縮水は、燃焼ガス中の硫黄酸化物や窒素酸化物などを吸収したＰＨ３程度の強酸性となる。したがって、この凝縮水を強酸性のまま一般配管中に排水させたのでは、その配管に腐食などが生じる他、水質汚染などの環境悪化を招き、適切ではない。
【０００３】
そこで、本出願人は、凝縮水中和器の具体例として、特許文献１に記載のものを先に提案しており、これを図７に示す。同図に示された凝縮水中和器Ａｅは、凝縮水の導入口８０および排出口８１を有する容器８内に、炭酸カルシウムなどの粒状の中和剤１が収容された構成を有している。容器８内には、上下高さ方向に延びる複数の仕切壁８２ａ〜８２ｃが設けられており、容器８内に凝縮水が導入されると、この凝縮水は複数の仕切壁８２ａ〜８２ｃによって区画された領域を上下に蛇行して流れ、この過程において中和される。容器８内において凝縮水を蛇行させると、凝縮水の流路長が長くなるため、容器８の大型化を抑制しつつ、凝縮水を適切に中和することが可能である。
【０００４】
前記した凝縮水中和器Ａｅには、いわゆる水抜き用の補助排出口８４も設けられている。この補助排出口８４は、常時は、凝縮水を外部に排出しないように設定されており、たとえばメンテナンスを行なう場合や、冬季に容器８内の凝縮水の多くが凍結することを防止するような場合に、容器８内の凝縮水（より詳しくは、容器８内のうち、仕切壁８２ｂよりも図７左側の領域に存在する凝縮水）を外部に抜き取るのに利用される。
【０００５】
一方、補助排出口８４に中和剤１が入り込んで詰まりを生じたのでは、この部分からの水抜きが困難となる。そこで、補助排出口８４については、容器８の一側壁８５に近い箇所に配置した上で、この一側壁８５やその周辺の壁部を利用して補助排出口８４の上方を覆うカバー壁部８６を形成し、補助排出口８４の上部開口周辺部を中和剤進入防止用の空間部８７としている。
【０００６】
しかしながら、前記従来技術においては、次に述べるように、未だ改善すべき余地があった。
【０００７】
すなわち、凝縮水中和器Ａｅが使用される場合、排出口８１および補助排出口８４には、凝縮水を所望の位置に導くための樹脂製ホースなどの２本の管体７Ｃ，７Ｄが接続される。したがって、凝縮水中和器Ａｅの取り扱いを良好にするには、２本の管体７Ｃ，７Ｄの取り廻しを容易なものにすることが望まれる。また、凝縮水中和器Ａｅが、たとえば給湯装置の全体を囲む外装ケース（図示略）内に組み込まれて使用される場合には、２本の管体７Ｃ，７Ｄが容器８の下方において大きなスペースを占有しないようにして、凝縮水中和器Ａｅの下方に所望の装置・機器類をスペース効率良く配置し、全体のコンパクト化を図りたい場合もある。
【０００８】
これに対し、前記従来技術においては、排出口８１および補助排出口８４が容器８の幅方向両端部に離れて設けられており、それらの間隔Ｌａは大きい。このため、２本の管体７Ｃ，７Ｄどうしの間隔も大きなものとなって、これらが嵩張りを生じる。したがって、それらの取り廻しに苦慮し、また凝縮水中和器Ａｅの下方に大きなスペースを確保することが困難となる場合がある。なお、同図仮想線に示すように、仮に、一方の管体７Ｃの上端寄り領域を他方の管体７Ｄ側に曲げることによって、これらを束ねたとしても、管体７Ｃの上部が容器８の下方領域のスペースを大きく占有し、他の機器類を配置するための邪魔になる場合がある。
【０００９】
【特許文献１】特開２００６−１３０４２２号公報
【発明の開示】
【発明が解決しようとする課題】
【００１０】
本発明は、前記した事情のもとで考え出されたものであって、製造コストが高くなるなどの不具合をできる限り生じないようにしつつ、凝縮水の排出口および補助排出口に管体を接続した場合の取り廻しを容易にするといった利点を得ることが可能な凝縮水中和器、およびこれを備えた温水装置を提供することを、その課題としている。
【課題を解決するための手段】
【００１１】
上記の課題を解決するため、本発明では、次の技術的手段を講じている。
【００１２】
本発明の第１の側面により提供される凝縮水中和器は、凝縮水の導入口および排出口を有し、かつ中和剤を内部に収容する容器と、この容器の底部の幅方向中間部から上向きに起立していることにより、この容器内を前記導入口に繋がった第１の領域および前記排出口に繋がった第２の領域に区分し、かつ前記導入口に導かれた凝縮水が前記第１および第２の領域を順次進行して前記排出口に到達するように前記凝縮水の流れを規定する仕切壁と、前記容器に前記排出口とは別個に設けられ、かつ前記第１の領域に存在する凝縮水を外部に抜き取るための補助排出口と、この補助排出口の少なくとも上方領域を覆い、かつ前記補助排出口の上部開口周辺部を中和剤進入防止用の空間部として形成するカバー壁部と、を備えている、凝縮水中和器であって、前記補助排出口は、前記容器の底部の幅方向中間部に設けられており、前記カバー壁部は、前記仕切壁を利用して構成されており、前記中和剤進入防止用の空間部の一端には、前記第１の領域からこの空間部に中和剤が進入してくることを抑制するためのスリットが形成され、前記中和剤進入防止用の空間部の底面は、前記補助排出口の上部開口周縁から前記スリットに向けて進むほど、その高さが低くなるように傾斜しており、前記空間部に前記中和剤またはその粉末が進入したときに、この進入物質が前記スリットに向けて移動して前記第１の領域に戻されることを促進可能な構成とされていることを特徴としている。
【００１３】
このような構成によれば、補助排出口が容器の底部の幅方向中間部に設けられているために、この補助排出口と排出口との間隔を、従来技術の場合よりも小さくすることができる。したがって、排出口および補助排出口に２本の管体を接続した場合には、これら２本の管体どうしをも接近させることが可能となり、それらの取り廻しが容易となる。また、前記２本の管体が大きな間隔で容器の下方に存在しないようにすることができるために、容器の下方に大きなスペースを確保して、他の装置・機器類を配置するといったことも容易かつ適切に行なうことが可能となる。さらに重要な効果として、本発明によれば、補助排出口に中和剤が進入することを抑制するためのカバー壁部が、容器内における凝縮水の流れを規定する仕切壁を利用して構成されているために、その構成は合理的であり、前記仕切壁とは別個にカバー壁部を形成する必要はない。したがって、製造コストが上昇するといった不具合も適切に回避することができる。
さらに、中和剤進入防止用の空間部内に中和剤が進入することがスリットの作用によっ
て抑制される。ただし、割れや欠けなどを生じた中和剤、あるいは中和剤が擦れ合うことによって発生する中和剤の粉末などについては、前記スリットを通過して中和剤進入防止用の空間部に進入する場合があり得る。これに対し、前記構成によれば、そのような進入物が中和剤進入防止用の空間部の底面の傾斜作用によって前記空間部の外部に戻される効果が期待できるために、中和剤やその粉末が補助排出口に入り込んで詰まりを生じる可能性は、より少なくなる。
【００１６】
本発明の好ましい実施の形態においては、前記仕切壁は、前記カバー壁部の上部に繋がってこのカバー壁部よりもさらに上向きに延びる上側領域を有し、前記カバー壁部は、前記上側領域の下端よりも前記排出口寄りに張り出した形状とされて、前記補助排出口は、前記上側領域の下端よりも前記排出口寄りに設けられている。
【００１７】
このような構成によれば、補助排出口を排出口により接近させることができ、これらに接続される２本の管体の取り廻しなどを一層良好なものにすることが可能である。
【００１８】
本発明の好ましい実施の形態においては、前記容器内の第１の領域には、前記中和剤進入防止用の空間部よりも高い位置において略水平状に延びた部分を有する中和剤受け用の壁部が設けられ、この壁部上に存在する中和剤およびその粉末が前記第１の領域の底部に向けて落ちることを抑制可能な構成とされている。
【００１９】
このような構成によれば、中和剤の粉末が第１の領域の底部に向けて落ちることが抑制されるために、前記粉末が補助排出口に向けて進行することもその分だけ抑制される。したがって、補助排出口に詰まりを生じる可能性をさらに少なくすることができる。
【００２０】
本発明の好ましい実施の形態においては、前記中和剤受け用の壁部は、前記仕切壁、およびこの仕切壁とは別個に設けられて前記第１の領域に流入した凝縮水の流れを規定する他の仕切壁のうち、少なくとも一方に設けられている。
【００２１】
このような構成によれば、中和剤受け用の壁部が、凝縮水の流れを規定するための仕切壁を利用して構成されているために、構造の複雑化を抑制し、製造コストの上昇を抑制するのに好適である。
【００２２】
本発明の第２の側面により提供される温水装置は、燃焼ガスまたはその他の潜熱を含むガスから潜熱回収が可能な熱交換器と、前記潜熱回収に伴って発生する凝縮水の中和処理を行なうための凝縮水中和器と、を備えている、温水装置であって、前記凝縮水中和器として、本発明の第１の側面により提供される凝縮水中和器が用いられていることを特徴としている。
【００２３】
このような構成によれば、本発明の第１の側面により提供される凝縮水中和器について述べたのと同様な効果が得られる。
【００２４】
本発明のその他の特徴および利点は、添付図面を参照して以下に行なう発明の実施の形態の説明から、より明らかになるであろう。
【発明を実施するための最良の形態】
【００２５】
以下、本発明の好ましい実施の形態について、図面を参照して具体的に説明する。
【００２６】
図１〜図３は、本発明に係る凝縮水中和器の一実施形態を示している。図１によく表われているように、本実施形態の凝縮水中和器Ａは、中和剤１を内部に収容した容器２を備えている（図面では、中和剤１を一部省略している）。中和剤１は、たとえば粒状の炭酸カルシウムである。この凝縮水中和器Ａは、たとえば後述する温水装置Ｂにおいて発生した酸性の凝縮水を中和処理するのに用いられる。
【００２７】
容器２は、ポリプロピレン製あるいはその他の合成樹脂製のブロー成形品である。ただし、容器２の成形手段はこれに限定されず、たとえば容器２が二分割された状態のものを射出成形してから、これらを張り合わせるような手段を採用することもできる。この容器２には、凝縮水の導入口２０、排出口２１、補助排出口２２、複数の仕切壁２３Ａ〜２３Ｃ、中和剤進入防止用の空間部２４を形成するカバー壁部２５、および中和剤用の投入口３０ａ，３０ｂが形成されている。
【００２８】
複数の仕切壁２３Ａ〜２３Ｃは、容器２の幅方向（図１の左右方向）において、この容器２内を複数の領域２９ａ〜２９ｄに区分するように設けられており、導入口２０から容器２内に流入した凝縮水を、同図の矢印に示すように上下に蛇行させてから最終的に排出口２１に到達させるように凝縮水の流れを規定する。酸性の凝縮水は、前記した過程において、中和剤１との接触により中和される。また、本実施形態のように、凝縮水を上下に蛇行させると、その流路長は長いものとなるため、容器２の全体のサイズを小さくして中和剤１の使用量を少なくしながらも、凝縮水の中和処理を十分に図ることが可能となる。
【００２９】
排出口２１は、中和処理を終えた凝縮水を容器２の外部に排出するための部分であり、容器２の幅方向一端側の下部に設けられている。この排出口２１には、凝縮水を所望の位置に導くための樹脂製ホースなどの管体７Ａが接続される。排出口２１の上方領域２９ｅは、スリット２８ａが上部に形成されている壁部２８を介して領域２９ｄと区画されている。スリット２８ａは、領域２９ｅ内への凝縮水の進入を許容しつつ、中和剤１の進入を抑制する開口幅である。図２に示すように、仕切壁２３Ａ〜２３Ｃは、容器２の厚み方向に対向する一対の壁部２ａのうち、互いに対向する複数箇所２ａ’を容器２の厚み方向中心寄りに変形させ、かつそれらを互いに接合させることにより形成されている。スリット２８ａは、互いに対向する箇所２ａ”の先端部どうしを互いに接触させず、離間させておくことにより形成されている。
【００３０】
図１において、補助排出口２２は、凝縮水中和器Ａのメンテナンスを行なう場合や、容器２内の凍結に起因して凝縮水の排水が困難になることを防止したいような場合において、領域２９ａ，２９ｂの凝縮水を外部に抜き取るための部分である。領域２９ｃ，２９ｄの凝縮水については、排出口２１から排出され、スリット２８ａの下端高さＨ２と同水位に設定することが可能であるが、領域２９ａ，２９ｂの凝縮水については、排出口２１を介して外部に排出させることはできないために、これを排出させるために補助排出口２２が設けられている。この補助排出口２２には、後述するように通常時には閉状態とされるバルブまたは栓を備えた樹脂製ホースなどの管体７Ｂが接続される。補助排出口２２は、容器２の底部２ｂの幅方向中間部に設けられている。このことにより、この補助排出口２２と排出口２１との間隔Ｌ１が小さくされている。
【００３１】
仕切壁２３Ｂは、容器２の底部２ｂの幅方向中間部から上向きに延びている。複数の領域２９ａ〜２９ｄのうち、この仕切壁２３Ｂよりも図面右側の領域２９ａ，２９ｂは、本発明でいう第１の領域の一例に相当する。また、仕切壁２３Ｂよりも図面左側の領域２９ｃ，２９ｄは、本発明でいう第２の領域の一例に相当する。
【００３２】
カバー壁部２５は、仕切壁２３Ｂの下部によって構成されており、容器２の底部２ｂのうち、補助排出口２２の一側方部分から斜め上方に起立していることにより、補助排出口２２の一側方領域および上方領域を覆っている。このカバー壁部２５は、仕切壁２３Ｂのうち、このカバー壁部２５よりも上側の領域２３Ｂ’の下端２３Ｂ”よりも排出口２１寄りに張り出している。このことにより、補助排出口２２は、下端２３Ｂ”よりも排出口２１寄りに設けられている。このような構成は、補助排出口２２と排出口２１との間隔Ｌ１を小さくするのにより好ましいものとなる。
【００３３】
中和剤進入防止用の空間部２４は、その一端に上下方向に延びたスリット２４ａが形成され、かつこのスリット２４ａを介して領域２９ａ，２９ｂと連通した構成とされている（図３も参照）。スリット２４ａは、先に述べたスリット２８ａと同様に、中和剤１の進入を抑制し、かつ凝縮水を進入可能とする開口幅である。ただし、中和剤１が擦れて粉末が発生したり、中和剤１に割れなどが生じて微細な欠けらなどが発生した場合には、これらがスリット２４ａを通過して空間部２４内に進入する可能性はある。
【００３４】
図１のＩ部拡大図によく表われているように、空間部２４の底面２４ｂは、水平軸Ｃ１に対して適当な角度αだけ傾斜しており、補助排出口２２の上部開口周縁からスリット２４ａに向けて進むほどその高さが低くなっている。ここで、底面２４ｂの「傾斜」は、凝縮水中和器Ａの本来の取り付け姿勢において傾斜している意である。底面２４ｂは、領域２９ａ，２９ｂの底面２ｂ’よりも適当な寸法Ｈ１だけ高くなるように形成されており、底面２ｂ’から空間部２４への中和剤１の粉末などの進入を生じ難くしている。なお、補助排出口２２を利用して凝縮水を抜き取った場合、領域２９ａ，２９ｂの底部には、高さＨ１の水位で凝縮水が残存するが、仮にこの部分が凍結したとしても、この凍結部分によって導入口２０から排出口２１に至る凝縮水流路が遮断されることはなく、凝縮水を排出口２１に適切に導くことが可能である。この点は、領域２９ｃ，２９ｄに凝縮水が水位Ｈ２で残存して、この部分が凍結した場合も同様である。
【００３５】
仕切壁２３Ａは、屈曲した形状に形成されており、略水平状に延びた２つの中和剤受け用の壁部２３０ａ〜２３０ｂを備えている。一方、仕切壁２３Ｂは、上向きに延びる部分から分岐して略水平状に延びる中和剤受け用の壁部２３０ｃを備えている。これらの中和剤受け用の壁部２３０ａ〜２３０ｃは、これらの上面上に位置する中和剤１およびその粉末を下方に落下し難くする作用を発揮するものであり、ともに領域２９ａ，２９ｂのうち、空間部２４よりも高い位置に設けられている。
【００３６】
中和剤用の投入口３０ａ，３０ｂは、容器２の幅方向両端部の上部に設けられており、常時は蓋体６によって閉塞されている。投入口３０ａからは領域２９ａに対して中和剤１を投入可能であり、また投入口３０ｂからは領域２９ｂ〜２９ｄに対して中和剤１を投入可能である。容器２の上部には、凝縮水の水位の異常上昇を検出するための一対の電極６０も設けられている。これら一対の電極６０には、電圧が印加された一対の配線コード（図示略）が接続されており、たとえば容器２内またはその下流経路に詰まりが生じて容器２内における凝縮水の水位が異常上昇すると、一対の電極６０の下端部がともに凝縮水に浸漬して電気的に導通し、所定の信号出力がなされるようになっている。
【００３７】
図４は、前記した凝縮水中和器Ａを備えた温水装置の一例を示している。
【００３８】
図４に示す温水装置Ｂは、上部に排気口９９を有する缶体９０内に設けられた燃焼器９１と、この燃焼器９１の下方から燃焼用空気を上向きに送り込む送風ブロア９２と、伝熱管９３ａを有する熱交換器９３と、これら全体を覆う外装ケース９４とを備えている。燃焼器９１は、たとえばガス燃焼器またはオイル燃焼器である。熱交換器９３は、燃焼器９１によって発生された燃焼ガスから顕熱を回収可能な１次熱交換部９３Ａと、潜熱を回収可能な２次熱交換部９３Ｂとを有している。伝熱管９３ａの入水口９３０に供給された水は、２次熱交換部９３Ｂおよび１次熱交換部９３Ａを通過して加熱された後に出湯口９３１から所定の給湯先に供給される。２次熱交換部９３Ｂの下方には、潜熱回収に伴って発生する酸性の凝縮水を受ける部材９５が設けられている。
【００３９】
凝縮水中和器Ａは、外装ケース９４内に配されており、部材９５によって受けられた凝縮水は、配管９６ａを介して凝縮水中和器Ａの導入口２０に導かれる。凝縮水中和器Ａの排出口２１および補助排出口２２に接続された管体７Ａ，７Ｂは、容器２から排出される凝縮水を外装ケース９４の外部に導くように設けられている。なお、管体７Ｂには開閉バルブ７０、またはこれに代わる栓が設けられており、通常時においては、容器２内の凝縮水が補助排出口２２から外部に排出されることが阻止されている。
【００４０】
次に、凝縮水中和器Ａおよびこれを備えた温水装置Ｂの作用について説明する。
【００４１】
凝縮水中和器Ａにおいては、図１に示したように、排出口２１が容器２の幅方向の一端部に位置するのに対し、補助排出口２２は容器２の幅方向中間部に設けられており、これら排出口２１と補助排出口２２との間隔Ｌ１は小さくされている。とくに、カバー壁部２５は、仕切壁２３Ｂの上側領域２３Ｂ’の下端２３Ｂ”よりも排出口２１寄りに張り出して形成されて、補助排出口２２は、下端２３Ｂ”よりも排出口２１寄りに設けられているために、前記した間隔Ｌ１をより小さくすることができる。このような構成すると、図４に示したように、２本の管体７Ａ，７Ｂを幅の狭い状態に纏めて、容器２の幅方向一端寄りの下方に配置し、容器２の下方のそれ以外の領域を比較的大きなスペースとすることができる。このため、容器２の下方領域を有効に利用して、温水装置Ｂの他の構成機器をスペース効率良く配置するのに好適となる。また、２本の管体７Ａ，７Ｂどうしの間隔を小さくすれば、それらの取り廻しも容易なものとなる。
【００４２】
一方、図１に示したように、凝縮水中和器Ａのカバー壁部２５は、補助排出口２２の一側方および上方領域を覆い、補助排出口２２内に中和剤１が入り込むことを抑制するが、このカバー壁部２５は、容器２内における凝縮水の流れを規定する仕切壁２３Ｂの一部を利用して合理的に構成されている。このため、たとえば仕切壁２３Ｂとカバー壁部２５とを別々に設ける場合とは異なり、容器２の構造の複雑化を回避し、凝縮水中和器Ａの製造コストの上昇を招かないようにする利点も得られる。
【００４３】
また、本実施形態においては、次に述べるように、補助排出口２２に中和剤１が入り込んで詰まりを生じることが、より徹底して防止される効果も得られる。すなわち、図１のＩ部拡大図を参照して説明したように、中和剤進入防止用の空間部２４の底面２４ｂは、スリット２４ａ側ほど高さが低くなるように傾斜している。このため、領域２９ａ，２９ｂに存在する中和剤１の粉末が、スリット２４ａを通過して空間部２４に進入しても、その後この粉末は、底面２４ｂの傾斜に沿ってスリット２４ａ側に移動し、領域２９ａ，２９ｂ側に戻される作用が期待できる。このような作用が生じると、空間部２４内に進入して滞留する中和剤粉末の量が少なくなり、その分だけ補助排出口２２に詰まりを生じ難くすることができる。
【００４４】
さらに、容器２内の領域２９ａ，２９ｂには、略水平状に延びた計３つの中和剤受け用の壁部２３０ａ〜２３０ｃが仕切壁２３Ａ，２３Ｂを利用して設けられており、これら中和剤受け用の壁部２３０ａ〜２３０ｃ上に位置する中和剤１およびその粉末は、それらの下方に向けて落下し難い状態となっている。このため、領域２９ａ，２９ｂの底部に落下してから空間部２４に向けて進行する中和剤１の粉末の量を少なくすることができ、このことによっても補助排出口２２の詰まりが抑制される効果が得られることとなる。
【００４５】
本発明は、上述した実施形態の内容に限定されない。本発明に係る凝縮水中和器、および温水装置の各部の具体的な構成は、種々に設計変更自在である。
【００４６】
上述した実施形態では、カバー壁部２５が容器２の底部２ｂから斜めに起立した非常にシンプルな形態とされており、その形成が容易であるが、本発明においては、これ以外の形態とすることができる。たとえば、図５や図６に示すような形態としてもよい。図５に示すカバー壁部２５Ａは、容器２の底部２ｂから上向きに起立した起立部２５０ａと、この起立部２５０ａの上端から略水平方向に延びた部分２５０ｂとを有している。図６に示すカバー壁部２５Ｂは、容器２の底部２ｂから上向きに起立した起立部２５０ｃに、略水平方向に延びた分岐部２５０ｄが連設されている。このカバー壁部２５Ｂは、仕切壁２３Ｂの上側領域２３Ｂ’の下端２３Ｂ”から排出口２１とは反対側に向けて張り出しており、その張り出し方向は、上述した実施形態とは反対である。このような構成は、上述した実施形態と比較すると、補助排出口２２を排出口２１に接近させる上でやや不利となるが、本発明においてはこのような構成としてもよい。
【００４７】
上述した実施形態では、容器２内に３つの仕切壁２９Ａ〜２９Ｃが設けられているが、本発明は、やはりこれに限定されない。要は、容器の底部から上向きに起立して容器内を第１および第２の領域に区分する少なくとも１つの仕切壁が設けられていればよい。容器の具体的な形状、サイズ、材質などは限定されない。
【００４８】
中和剤としては、炭酸カルシウム以外の物質を用いることが可能である。本発明に係る凝縮水中和器は、燃焼ガスやその他の潜熱を含んだガスからの潜熱回収に伴って発生する凝縮水を中和処理する用途であれば種々の用途に用いることが可能であり、たとえば温水装置とは異なる装置に組み込んで使用することもできる。本発明に係る温水装置とは、給湯装置のみならず、温水を生成する機能を備えた装置全般を広く指す概念である。
【図面の簡単な説明】
【００４９】
【図１】本発明に係る凝縮水中和器の一例を示す断面図である。
【図２】図１のII-II断面図である。
【図３】図１のIII−III断面図である。
【図４】図１の凝縮水中和器を備えた温水装置の一例を模式的に示す説明図である。
【図５】本発明に係る凝縮水中和器の他の例を示す要部断面図である。
【図６】本発明に係る凝縮水中和器の他の例を示す要部断面図である。
【図７】従来技術の一例を示す断面図である。
【符号の説明】
【００５０】
Ａ    凝縮水中和器
Ｂ    温水装置
１    中和剤
２    容器
７Ａ，７Ｂ    管体
２０    導入口（凝縮水の）
２１    排出口（凝縮水の）
２２    補助排出口
２３Ａ〜２３Ｃ    仕切壁
２４    中和剤進入防止用の空間部
２４ａ  スリット（中和剤進入防止用の空間部の）
２４ｂ  底面（中和剤進入防止用の空間部の）
２５，２５Ａ，２５Ｂ    カバー壁部
２９ａ，２９ｂ    領域（第１の領域）
２９ｃ，２９ｄ    領域（第２の領域）
９１    燃焼器
９３    熱交換器
２３０ａ〜２３０ｂ    中和剤受け用の壁部
【図１】
0005282866.tif 000002
【図２】
0005282866.tif 000003
【図３】
0005282866.tif 000004
【図４】
0005282866.tif 000005
【図５】
0005282866.tif 000006
【図６】
0005282866.tif 000007
【図７】
0005282866.tif 000008